(57)【要約】【課題】基板ケースが不正に開放されることを防止する基板ケース用不正開放防止機構を提供する。【解決手段】切離頭部４１を有する破断ねじ４０に、該切離頭部４１が収められる切離頭部収容室１６を備えたねじカバー１０を装着し、該破断ねじ４０と該ねじカバー１０とからなる破断ねじユニットＵを用いて、ケース蓋３とケース本体２とを緊締するようにした。さらに、この緊締状態において、前記破断ねじ４０を強制的に回動させ、前記切離頭部４１をねじ本体（ねじ軸部４３）から離脱させ、切離した該切離頭部４１を、前記ねじカバー１０の前記切離頭部収容室１６内に残留させ、前記工具用ねじ操作孔１３と前記ねじ本体（ねじ軸部４３）との間に介在させるようにした。【選択図】  図３
2010136814.tif 000002
【特許請求の範囲】
【請求項１】
ケース本体と、
該ケース本体を覆うケース蓋と
を、破断ねじとこれに装着されたねじカバーとからなる破断ねじユニットを用いて開放不能に緊締し、該ケース本体と該ケース蓋とからなる基板ケースを封止する基板ケース用不正開放防止機構であって、
前記破断ねじは、その頂部に、破断によりねじ本体から切離される切離頭部を有し、該切離頭部の頭頂には、工具の先端が係合し、かつ逆回し防止構造が施された工具用係合部が形成され、
前記ねじカバーは、
前記切離頭部を内包する切離頭部収容室を備え、かつ、該切離頭部収容室に内在する該切離頭部の頭頂を露出させる工具用ねじ操作孔が形成され、さらに該工具用ねじ操作孔の孔径は、該切離頭部より径小の寸法とされていると共に、
前記破断ねじユニットのねじカバーがケース蓋に着座しつつ破断ねじがケース蓋を貫通してケース本体に螺入されることにより、該ケース本体と該ケース蓋とが緊締状態となり、さらに該緊締状態で、前記ねじカバーの前記工具用ねじ操作孔から挿入されて前記工具用係合部と係合した工具によって、強制的に該破断ねじが回動されて前記切離頭部がねじ本体から切離され、切離された該切離頭部が、該ねじカバーの前記切離頭部収容室内に残留して該工具用ねじ操作孔と該ねじ本体との間に介在してなることを特徴とする基板ケース用不正開放防止機構。
【請求項２】
前記破断ねじは、
丸棒状のねじ軸部と、
該ねじ軸部の一端に形成された固定頭部と、
該ねじ軸部の軸線上で該固定頭部に連結された、該固定頭部との連結部位の破断により該固定頭部から切離できる切離頭部と
からなり、
該固定頭部と該切離頭部は、前記ねじ軸部より幅広であり、
前記ねじカバーを構成するカバー筐体内には、
前記固定頭部が収容される固定頭部収容室と、
前記切離頭部が収容される切離頭部収容室と
が、該カバー筐体内に配設された区画壁により仕切られることにより隣接して形成されている請求項１記載の基板ケース用不正開放防止機構。  
【請求項３】
前記ケース蓋には、
前記緊締状態にある前記ねじカバーが破断ねじの軸線周りに回動することを防止するねじカバー回動防止機構が設けられている請求項１又は請求項２記載の基板ケース用不正開放防止機構。
【請求項４】
前記ケース本体及び前記ケース蓋のうち何れか一方に配設された嵌合雌部材と、
いずれか他方に配設され、該嵌合雌部材に外挿される囲繞部材と、
前記嵌合雌部材に前記囲繞部材が外挿された状態で該嵌合雌部材と嵌合するカシメ部材とを具備し、
該カシメ部材が該嵌合雌部材に嵌合して両部材がカシメられた状態で、
前記囲繞部材が該嵌合雌部材から抜脱不能となり、かつ、該囲繞部材が前記嵌合雌部材の周りで回動することにより、該ケース蓋が、該カシメ部材と該嵌合雌部材とからなるカシメ部を中心として、該ケース本体に対して脱離することなく回動スライドすると共に、
該ケース蓋が該ケース本体を遮蔽した状態で、
該ケース蓋に配置された前記破断ねじユニットの前記破断ねじと、該ケース本体に形成されたねじ穴とが同一軸上に配置され、該破断ねじが該ねじ穴に螺入可能となる請求項１乃至請求項３のいずれか１項に記載の基板ケース用不正開放防止機構。
【請求項５】
前記ケース本体の壁面から、切断可能な被切断連結部が差し出され、かつ該被切断連結部が複数並設され、さらに、該被切断連結部の先端には上面に前記ねじ穴が設けられたケース本体側切離体が各々配設され、隣り合うケース本体側切離体同士も、切断可能な被切断連結部を介して連結されていると共に、
前記ケース蓋の壁面から、切断可能な被切断連結部が差し出され、かつ該被切断連結部が複数並設され、さらに、該被切断連結部の先端には前記破断ねじユニットが装着されるユニット装着孔が貫設された筒状のケース蓋側切離体が各々配設され、隣り合うケース蓋側切離体同士も、切断可能な被切断連結部を介して連結されており、
該ケース蓋が該ケース本体を遮蔽した状態で、前記ケース本体側切離体と前記ケース蓋側切離体とが重合して該ケース蓋側切離体の該ユニット装着孔と該ねじ穴とが連通し、該ユニット装着孔に装着された破断ねじユニットの破断ねじが、該ねじ穴に螺入可能となると共に、
前記破断ねじがねじ穴に螺入されることにより結合したケース蓋側切離体およびケース本体側切離体を、各被切断連結部を切断することによって、該ケース蓋および該ケース本体から分離することができる請求項４記載の基板ケース用不正開放防止機構。
【請求項６】
前記ユニット装着孔の内面には、ユニット装着孔側係合部が設けられ、
該破断ねじユニットにおけるねじカバーの側面には、ねじカバー側係合部が設けられ、
前記ユニット装着孔側係合部及び／又は前記ねじカバー側係合部は、弾性体で構成されており、
前記ケース本体側切離体と前記ケース蓋側切離体とが重合して該ケース蓋側切離体の前記ユニット装着孔と該ケース本体側切離体の前記ねじ穴とが連通した状態にあって、
前記破断ねじユニットは、前記ユニット装着孔内で、該ユニット装着孔の開口側から前記ねじ穴に向けて摺動可能とされており、
該ユニット装着孔の開口側に位置する場合に、前記ユニット装着孔内の前記ユニット装着孔側係合部と、該破断ねじユニットにおけるねじカバーのねじカバー側係合部とが係合した仮止め待機状態となると共に、
前記仮止め待機状態の破断ねじユニットをねじ穴へ向けて押し込み、弾性体からなるユニット装着孔側係合部及び／又は前記ねじカバー側係合部を弾性変形させて前記係合を解除しつつ、該破断ねじユニットをねじ穴へ向けて摺動させることにより、該破断ねじユニットの破断ねじが該ねじ穴に螺入可能となる請求項５記載の基板ケース用不正開放防止機構。
【請求項７】
前記破断ねじに装着される前記ねじカバーが、中央に設定された基準線を中心にして蝶動することにより開閉するものであって、
該ねじカバーを開放状態として破断ねじを装填し、該破断ねじが装填された状態で閉鎖状態とすると、該破断ねじが両側から挟まれるようにして該ねじカバーに装着されることとなる請求項１乃至請求項６のいずれか１項に記載の基板ケース用不正開放防止機構。
【発明の詳細な説明】
【技術分野】
【０００１】
本発明は、パチンコ、スロット等の遊技機に用いられる基板ケースに対する不正開放を防止するための不正開放防止機構に関するものである。
【背景技術】
【０００２】
従来、制御基板を備えたパチンコ、スロット等の遊技機が提供されており、該制御基板は、基板ケース内に収容されて該遊技機の背面に配置されている。そして、不正開放防止のため、該基板ケースには種々の対策が講じられている（例えば、特許文献１，２参照。）。
例えば、破断ねじを用いて基板ケースを封止する構成が知られている。更に述べると、該破断ねじは、ドライバー等の工具が当接する頭部と、ねじ溝が施されたねじ軸部とからなり、前記頭部が破断により欠落させることができるものである。かかる構成は、該破断ねじを所定位置に螺着させて基板ケースを封止した後、その頭部を意図的に切断して欠落させ、これにより、前記工具の使用を不能とするものである。このように、頭部が欠落してねじ軸部の回動が不能となると、基板ケースは開封できないため、不正行為を防止できる。
【０００３】
【特許文献１】特開２００３−３４０１２５号公報
【特許文献２】特開２００７−２６７８３２号公報
【発明の開示】
【発明が解決しようとする課題】
【０００４】
しかしながら、上記破断ねじを用いた不正防止機構にあっては、表面に露出したねじ軸部の頂部に特殊な工具を直接接触させ、これにより該ねじ軸部を不正に回動してねじ穴から抜き取り、基板ケースの封止を解除するという不正行為を抑止できなかった。
【課題を解決するための手段】
【０００５】
本発明は、上記課題を解決するものであり、その要旨は、ケース本体と、該ケース本体を覆うケース蓋とを、破断ねじとこれに装着されたねじカバーとからなる破断ねじユニットを用いて開放不能に緊締し、該ケース本体と該ケース蓋とからなる基板ケースを封止する基板ケース用不正開放防止機構であって、前記破断ねじは、その頂部に、破断によりねじ本体から切離される切離頭部を有し、該切離頭部の頭頂には、工具の先端が係合し、かつ逆回し防止構造が施された工具用係合部が形成され、前記ねじカバーは、前記切離頭部を内包する切離頭部収容室を備え、かつ、該切離頭部収容室に内在する該切離頭部の頭頂を露出させる工具用ねじ操作孔が形成され、さらに該工具用ねじ操作孔の孔径は、該切離頭部より径小の寸法とされていると共に、前記破断ねじユニットのねじカバーがケース蓋に着座しつつ破断ねじがケース蓋を貫通してケース本体に螺入されることにより、該ケース本体と該ケース蓋とが緊締状態となり、さらに該緊締状態で、前記ねじカバーの前記工具用ねじ操作孔から挿入されて前記工具用係合部と係合した工具によって、強制的に該破断ねじが回動されて前記切離頭部がねじ本体から切離され、切離された該切離頭部が、該ねじカバーの前記切離頭部収容室内に残留して該工具用ねじ操作孔と該ねじ本体との間に介在してなることを特徴とする基板ケース用不正開放防止機構である。
【０００６】
かかる構成にあっては、ねじカバーに形成された工具用ねじ操作孔と、破断ねじのねじ本体との間に、切離させた切離頭部が配置される。すなわち、前記ねじカバー内に切離頭部が残留していることにより、前記工具用ねじ操作孔に特殊工具を差し込んで前記ねじ本体にアクセスしようとしても、その間にある該切離頭部が邪魔となって、特殊工具はねじ本体に到達することができない。要は、該切離頭部は、基板ケースが緊締状態となるまでは、工具と係合して破断ねじの螺入作業を補助する役割を果たし、基板ケースが緊締状態となった後には、特殊工具による不正アクセスを阻止する役割を果たしている。    
ここで、前記ねじカバーにおける工具用ねじ操作孔の孔径は、切離頭部よりも径小の寸法に設定されるため、切離された切離頭部は、該工具用ねじ操作孔から外へ抜け落ちたり、取り出されたりしてしまうことがない。
これまでに述べた対策により、破断ねじのねじ軸部が、ケース本体のねじ穴から抜き取られることがなくなり、該基板ケースの封止が確実に維持されることとなる。なお、前記破断ねじにあって、前記切断頭部の頭頂に配設された工具用係合部は、逆回し防止構造とされ、一方向にのみ回動操作できるものとされている。このため、該破断ねじを螺着する過程で不用意に逆回転させて切離頭部を破断させてしまうことを防止できると共に、不正行為者に対してセキュリティの高さを知らしめることができ、不正行為に対して万全を期した構成となる。
【０００７】
また、前記破断ねじは、丸棒状のねじ軸部と、該ねじ軸部の一端に形成された固定頭部と、該ねじ軸部の軸線上で該固定頭部に連結された、該固定頭部との連結部位の破断により該固定頭部から切離できる切離頭部とからなり、該固定頭部と該切離頭部は、前記ねじ軸部より幅広であり、前記ねじカバーを構成するカバー筐体内には、前記固定頭部が収容される固定頭部収容室と、前記切離頭部が収容される切離頭部収容室とが、該カバー筐体内に配設された区画壁により仕切られることにより隣接して形成されている構成としてもよい。
【０００８】
また、前記ケース蓋には、前記緊締状態にある前記ねじカバーが破断ねじの軸線周りに回動することを防止するねじカバー回動防止機構が設けられている構成が望ましい。
【０００９】
かかる構成とすることにより、前記ねじカバーが、前記ケース蓋に対して遊転することなく強固に固定されることになり、例えば該ねじカバーを回転させながら不正に取り外し、さらに、切離された切離頭部を取り出そうとする等の不正行為を効果的に防ぐことができる。
【００１０】
また、前記ケース本体及び前記ケース蓋のうち何れか一方に配設された嵌合雌部材と、いずれか他方に配設され、該嵌合雌部材に外挿される囲繞部材と、前記嵌合雌部材に前記囲繞部材が外挿された状態で該嵌合雌部材と嵌合するカシメ部材とを具備し、該カシメ部材が該嵌合雌部材に嵌合して両部材がカシメられた状態で、前記囲繞部材が該嵌合雌部材から抜脱不能となり、かつ、該囲繞部材が前記嵌合雌部材の周りで回動することにより、該ケース蓋が、該カシメ部材と該嵌合雌部材とからなるカシメ部を中心として、該ケース本体に対して脱離することなく回動スライドすると共に、該ケース蓋が該ケース本体を遮蔽した状態で、該ケース蓋に配置された前記破断ねじユニットの前記破断ねじと、該ケース本体に形成されたねじ穴とが同一軸上に配置され、該破断ねじが該ねじ穴に螺入可能となる構成としてもよい。
【００１１】
かかる構成にあって、該基板ケースを不正に開放しようとする場合、狙われる箇所として、次の位置が想定される。すなわち、基板を出し入れするための開放部分を封止している上記破断ねじによるねじ止め箇所、または、ケース蓋とケース本体との連結部分であるカシメ部の箇所である。しかし、該ねじ止め箇所は、破断ねじを用いた上述の構成により不正開放が防止されている。一方、該カシメ部は、カシメ部材が嵌合雌部材に対して嵌合して両部材がカシメられていることにより、ケース蓋とケース本体とが脱離不能に連結し、該箇所の不正開放が防止されている。しかも、かかる部位は、前記囲繞部材により被覆されているため、該囲繞部材が防壁として機能し、外部からの不正アクセスに対して一層安全性が高められている。さらには、該ケース蓋の開放は、回動スライド方向にのみに限定された構造であるため、ケース蓋は、回動スライドさせて開けるしか開放の術がなく、開放方法に制限がある。したがって、この回動スライド構造は、開放が困難な構造であり、基板ケースの不正開放防止に寄与している。
このように、本基板ケースには、何重もの不正防止手段が施されているため、各部品を破壊することなく不正開放することは不可能であり、仮に破壊された場合はその痕跡により、極めて明瞭に不正開放の事実を一見にして把握することができる。
【００１２】
また、前記ケース本体の壁面から、切断可能な被切断連結部が差し出され、かつ該被切断連結部が複数並設され、さらに、該被切断連結部の先端には上面に前記ねじ穴が設けられたケース本体側切離体が各々配設され、隣り合うケース本体側切離体同士も、切断可能な被切断連結部を介して連結されていると共に、前記ケース蓋の壁面から、切断可能な被切断連結部が差し出され、かつ該被切断連結部が複数並設され、さらに、該被切断連結部の先端には前記破断ねじユニットが装着されるユニット装着孔が貫設された筒状のケース蓋側切離体が各々配設され、隣り合うケース蓋側切離体同士も、切断可能な被切断連結部を介して連結されており、該ケース蓋が該ケース本体を遮蔽した状態で、前記ケース本体側切離体と前記ケース蓋側切離体とが重合して該ケース蓋側切離体の該ユニット装着孔と該ねじ穴とが連通し、該ユニット装着孔に装着された破断ねじユニットの破断ねじが、該ねじ穴に螺入可能となると共に、前記破断ねじがねじ穴に螺入されることにより結合したケース蓋側切離体およびケース本体側切離体を、各被切断連結部を切断することによって、該ケース蓋および該ケース本体から分離することができるようにしてもよい。
【００１３】
かかる構成にあっては、重合したケース本体側切離体とケース蓋側切離体とからなる一対の切離体が複数並列することとなる。そして、該一対の切離体のうちいずれかを選択して破断ねじによる緊締作業を行えば、該基板ケースは封止される。一方、作業員が該基板ケースを適正に開放する場合は、緊締状態にある一対の切離体を、所要の被切断連結部を切断することにより該基板ケースから切離してやればよい。そうすると、基板ケースの封止が解除されるから、適正にケース蓋を開放することができる。なお、かかる構成は、前記破断ねじユニット自体をそっくりそのまま除去するものであるため、ケース蓋を開放する際に、ケース本体に残留した破断ねじが該ケース蓋の開放を妨げてしまうということがない。また、封止のために用いる一対の切離体を任意に選定することができ、作業性もよい。また、被切断連結部を切断した痕跡が確実に残るため、ケース蓋を開放した事実を容易に確認することができる。
【００１４】
また、前記ユニット装着孔の内面には、ユニット装着孔側係合部が設けられ、該破断ねじユニットにおけるねじカバーの側面には、ねじカバー側係合部が設けられ、前記ユニット装着孔側係合部及び／又は前記ねじカバー側係合部は、弾性体で構成されており、前記ケース本体側切離体と前記ケース蓋側切離体とが重合して該ケース蓋側切離体の前記ユニット装着孔と該ケース本体側切離体の前記ねじ穴とが連通した状態にあって、前記破断ねじユニットは、前記ユニット装着孔内で、該ユニット装着孔の開口側から前記ねじ穴に向けて摺動可能とされており、該ユニット装着孔の開口側に位置する場合に、前記ユニット装着孔内の前記ユニット装着孔側係合部と、該破断ねじユニットにおけるねじカバーのねじカバー側係合部とが係合した仮止め待機状態となると共に、前記仮止め待機状態の破断ねじユニットをねじ穴へ向けて押し込み、弾性体からなるユニット装着孔側係合部及び／又は前記ねじカバー側係合部を弾性変形させて前記係合を解除しつつ、該破断ねじユニットをねじ穴へ向けて摺動させることにより、該破断ねじユニットの破断ねじが該ねじ穴に螺入可能となる構成としてもよい。
【００１５】
かかる構成とすると、未使用の破断ねじユニットをケース蓋側切離体内でストックしておくことが可能となり、未使用の破断ねじユニットをストックしておくスペースを別途設ける必要がない。このため、基板ケース全体を小型化させることが可能となる。また、破断ねじユニットを、簡単な押し込み作業でストック状態から使用可能状態へ移行させることができ、利便性に優れる。
【００１６】
また、前記破断ねじに装着される前記ねじカバーが、中央に設定された基準線を中心にして蝶動することにより開閉するものであって、該ねじカバーを開放状態として破断ねじを装填し、該破断ねじが装填された状態で閉鎖状態とすると、該破断ねじが両側から挟まれるようにして該ねじカバーに装着されることとなる構成としてもよい。
【００１７】
かかる構成における破断ねじは、カバーねじの部分体によって両側から挟まれて保持されるため、ねじカバーから簡単に脱離してしまうことがない。
【発明の効果】
【００１８】
本発明の基板ケース用不正開放防止機構は、従来破棄されていた破断ねじの頭部に着目してなされたものであり、破断ねじに、本発明に係るねじカバーを装着し、破断して切離した切離頭部を該ねじカバー内に残留させて、ねじ軸部への不正アクセスを妨げる構成であるから、特殊工具等を用いた不正行為等を確実に防止できる。
【発明を実施するための最良の形態】
【００１９】
以下、本発明における基板ケース用不正開放防止機構１を具体化した実施形態を説明する。
なお、本発明における遊技機（図示省略）とは、パチンコ機、パチスロ機、スロット機等であり、遊技場において島設備と総称される玉供給装置、コイン供給装置等に組み込まれて設置されるものである。
【００２０】
前記遊技機の背面に取り付けられる基板ケース１Ａ（図８参照）は、制御基板（図示省略）を収納するものであり、不正に開放されないように封止される。なお、該基板ケース１Ａは、図１に示すケース本体２と、図２に示すケース蓋３とからなる。
【００２１】
図１等に示すように、前記ケース本体２は、中央に配された主板部２０を主体とし、その一端には、四個の円筒状の収納筒２２が横列し立設されている。該複数の収納筒２２は、後述の破断ねじユニットＵをストックするストック部としての役割を果たしている。
【００２２】
さらに、各収納筒２２に隣接する位置には、後述の破断ねじ４０が螺入されるねじ穴２３が、四個横列して設けられている。
【００２３】
また、前記ケース本体２の角隅部には、鉛直方向に配向された単一で略円筒形状の回動接続部２１が設けられている。該回動接続部２１は、中心寄りに配された嵌合雌部材２４と、該嵌合雌部材２４の外側に配された低背の囲繞壁２５とからなり、嵌合雌部材２４と囲繞壁２５とが主板部２０に対して立設されている。なお、前記嵌合雌部材２４は、複数（４個）の起立部材が周状に間隔をおいて配置されてなると共に、各部材の内側面には、内向きに突出した係合部２４Ａが配設されている。
また、該ケース本体２には、端子板カバー（図示省略）が装着される端子板カバー取付部（図示省略）が設けられている。
【００２４】
これに対し、図２に示すように、ケース蓋３は、中央に配された主板部３０を主体とし、その一端には、側方に突き出された耳部３２が四個横列して設けられている。さらに、各耳部３２の基端には、後述の破断ねじユニットＵが装着されるユニット装着孔３３Ａが各々開口し、さらに該ユニット装着孔３３Ａの底部には、該ユニット装着孔３３Ａより径小のねじ貫通孔３３Ｂが貫設されている（図９参照）。
【００２５】
さらに、図２に示すように、該ケース蓋３の他端には、鉛直方向に配向された単一で略円筒形状の回動接続部３１が設けられている。該回動接続部３１は、貫通孔３４を具備する囲繞部材３５を具備している。
【００２６】
ところで、これまでに述べた図２に示すケース蓋３を、図１に示すケース本体２に適正に取り付けた際には、図８，９に示すように、ケース蓋３の四個のねじ貫通孔３３Ｂと、ケース本体２の上面にある四個のねじ穴２３とが、それぞれ上下方向で対応して同一軸線上に配置されることとなり、前記ユニット装着孔３３Ａから挿入された破断ねじ４０が、その直下にあるねじ穴２３に螺入されることとなる。
【００２７】
次に、図３に従って、破断ねじユニットＵについて説明する。
図３ａに示すように、該破断ねじユニットＵは、破断ねじ４０と、これに装着されるねじカバー１０とで構成される。
【００２８】
前記破断ねじ４０は、同一軸線上に二つの頭部が上下に並べられた二頭ねじとされている。具体的には、ねじ溝が施された丸棒状のねじ軸部４３と、該ねじ軸部４３の上端に形成された固定頭部４２と、該固定頭部４２の上端に連結された切離頭部４１とからなる。なお、該固定頭部４２と該切離頭部４１の横幅は、共に、ねじ軸部４３より幅広に設定されている。
【００２９】
また、前記切離頭部４１の頭頂には、ドライバー等の工具α（本実施例はマイナスドライバー）の先端が係合する工具用係合部４４が形成されており、さらに該工具用係合部４４は、傾斜状の滑面４４Ａと、該滑面４４Ａからほぼ垂直に起立する起立面４４Ｂとを適宜組み合わせてなる逆回し防止構造とされている。
【００３０】
上記破断ねじ４０について、さらに詳述すると、前記固定頭部４２と前記切離頭部４１との連結部位は、該切離頭部４１の下部が縮径したテーパ形状とされることにより、強度が低い易破断部とされている。すなわち、意図的に該連結部位は破断可能とされており、基板ケース１Ａの封止作業において、ねじ軸部４３をねじ穴２３に最後までねじ込んだ後、さらに強制的に該破断ねじ４０を工具αでねじ込むと、切離頭部４１と固定頭部４２との連結部位が捻られて破断し、該切離頭部４１がねじ本体（ねじ軸部４３と固定頭部４２）から切離する。
【００３１】
一方、前記ねじカバー１０は、図３ａに示すように、前記破断ねじ４０の二つの頭部４１，４２を内包するものであり、筒形状のカバー筐体１１からなる。
更に詳述すると、該カバー筐体１１は、上面に工具用ねじ操作孔１３が貫設され、下面に差出孔１４が貫設されている。さらに、側面には装着孔１２が開口されている。また、前記装着孔１２は、前記差出孔１４と連通している。さらに、該カバー筐体１１内のほぼ中腹には、内向きに突き出された区画壁１５が設けられ、この区画壁１５によりカバー筐体１１内は上側の切離頭部収容室１６と、下側の固定頭部収容室１７とに分割されている。
【００３２】
かかる構成にあって、前記破断ねじ４０は、前記ねじカバー１０内に前記装着孔１２を介して挿入され、図３ｂに示すような装着完了状態となる。そして、該装着完了状態において、前記切離頭部４１は上側の切離頭部収容室１６に配置され、前記固定頭部４２は下側の固定頭部収容室１７に配され、また、前記工具用ねじ操作孔１３からは、前記切離頭部４１の前記工具用係合部４４が露出し、さらに前記差出孔１４からは、前記ねじ軸部４３が差し出される。
なお、前記工具用ねじ操作孔１３の孔径は、前記切離頭部４１より径小の寸法とされ、該切離頭部４１が切離後に、該工具用ねじ操作孔１３から抜け出さないように設定されている。また、前記差出孔１４の孔径は、前記固定頭部４２より径小の寸法とされ、当該破断ねじ４０が、軸線方向においてねじカバー１０から抜け落ちないように寸法設定されている。
【００３３】
ところで、前記カバー筐体１１は、図３等に示すように、平面視真円形状にされておらず、前記装着孔１２側が長軸方向に沿って切り欠かれた平面視異形形状とされている。かかる構成により、該装着孔１２側に、平面部で構成された回動規制面部１８が形成されている。また、これに伴い、図２に示すように、ケース蓋３における該ユニット装着孔３３Ａの平面形状は、該ねじカバー１０の外観形状に対応させた異形形状とされている。
該回動規制面部１８は、後述するように、該カバー筐体１１がユニット装着孔３３Ａ内で遊転することを防止するものである。
【００３４】
次に、これまでに述べた破断ねじユニットＵを用いた基板ケース１Ａの封止手順を示すと共に、本発明に係る基板ケース用不正開放防止機構１を説明する。
まず、図３ｂに示すように、前記ねじカバー１０に、前記破断ねじ４０を装着して、破断ねじユニットＵを準備すると共に、図４に示すように、ケース本体２の各収納筒２２に該破断ねじユニットＵを各々装填する。さらに、該ケース本体２において、端子板（図示省略）を覆っている端子板カバーを端子板カバー取付部に取り付ける。
【００３５】
次に、図５に示すように、前記ケース本体２に、ケース蓋３を取り付ける。具体的には、図５ａに示すように、ケース本体２の回動接続部２１に、ケース蓋３の回動接続部３１を上から差し込み、両接続部２１，３１を係合させ、さらに図５ｂに示すように、該回動接続部２１，３１の中空部分に、上方から回転ジョイントとしてのカシメ部材４を嵌着する。そうすると、図５ｃに示すように、両接続部２１，３１はカシメられて分離不能となると共に、相互に回動自在となり、該ケース蓋３が該ケース本体２に対して該カシメ部材４を中心に回動スライドする。
上記両接続部２１，３１のカシメ状態を更に詳しく述べれば、図６ａに示すように、ケース本体２に配設された嵌合雌部材２４に、ケース蓋３の貫通孔３４が挿通されることにより囲繞部材３５が外挿され、その後、上方から前記カシメ部材４が差し込まれて、図６ｂに示すような嵌合状態となる。具体的には、カシメ部材４の脚部４Ａに設けられた係合部４Ｂが、前記嵌合雌部材２４の係合部２４Ａと係合し、両部材４，２４がカシメられる。また、前記囲繞部材３５は、嵌合雌部材２４周りで回動可能であり、これにより、ケース蓋３がケース本体２に対して該カシメ部材４を中心に回動スライド可能となる。
ところで、両部材４，２４がカシメられたカシメ部５０は、そのカシメ構造により、ケース蓋３とケース本体２とが分離してしまうことを防止すると共に、前記嵌合雌部材２４が前記ケース蓋３の囲繞部材３５とケース本体２の囲繞壁２５とによって二重に囲繞されるため、不正なアクセスが困難とされている。さらに、該ケース蓋３の開放方向は、上記回動スライド方向に限定されるため、その開放が困難なものとされている。なお、変形例として、上記構成とは逆に、前記嵌合雌部材２４がケース蓋３に配設され、前記囲繞部材３５がケース本体２に配設された構成を採用しても勿論よい。
【００３６】
上述のようにケース本体２にケース蓋３を開閉自在に取り付けた後は、開放状態にあるケース本体２の主板部２０に、制御基板（図示省略）を適宜配置すると共に、図７ａに示すように、収納筒２２に収納されたいずれか一つの破断ねじユニットＵを取り出しておく。そして、ケース蓋３を回動スライドさせて、図７ｂに示すように、該ケース蓋３でケース本体２を適正に覆う。さらに、図８に示すように、取り出しておいた破断ねじユニットＵを、対応するユニット装着孔３３Ａに挿入すると共に、図９に示すように、破断ねじユニットＵにおける下方に差し出された破断ねじ４０のねじ軸部４３を、ねじ貫通孔３３Ｂに挿通させる。ここで、前記破断ねじユニットＵにあっては、ねじカバー１０が異形形状とされ、なおかつ、前記ユニット装着孔３３Ａもこれに対応した同一の平面形状とされているため、該ねじカバー１０の装着向きが一方向に決まる（図８参照）。更に述べると、ねじカバー１０の回動規制面部１８が、該ユニット装着孔３３Ａの周縁のうち、円弧でない直線部分に沿って当接するため、ねじカバー１０がユニット装着孔３３Ａ内において、破断ねじ４０の軸線周りに遊転してしまうことが防止される。このようなねじカバー回動防止機構Ｒを採用することにより、ねじカバー１０が、該ユニット装着孔３３Ａ内において緩みなく固定される。
【００３７】
上述のように破断ねじユニットＵをケース蓋３に装着した後は、図９ａに示すように、ねじカバー１０の工具用ねじ操作孔１３を介して、工具αで破断ねじ４０をケース本体２のねじ穴２３に螺入する。具体的には、工具αの先端を、破断ねじ４０の切離頭部４１にある工具用係合部４４に係合させ、該工具αを回動操作して、ねじ軸部４３をねじ穴２３内にねじ込む。
ここで、図９に示すように、該ユニット装着孔３３Ａの底部であって、該ねじ貫通孔３３Ｂの周囲には、水平面からなるねじカバー着座部３３Ｃが周成されている。
【００３８】
さらに、該破断ねじ４０を最後まで螺入すると、該破断ねじ４０における固定頭部４２の下面とケース本体２の上面との間に、ケース蓋３およびねじカバー１０の差出孔１４周辺部とが挟着される。これと共に、該ねじカバー１０が、前記ねじカバー着座部３３Ｃに強く圧着される。かかる状態にあっては、該ケース本体２と該ケース蓋３とが上下方向で挟圧されることとなるため、ケース蓋３は開放不能となって、基板ケース１Ａが緊締（ねじ止め）された状態になる（図９ａ参照）。
【００３９】
そして、上記状態とした後、さらに強制的に破断ねじ４０を工具αにより回動操作して、その過剰な捻りにより該破断ねじ４０を破断させ、切離頭部４１を切離する。そうすると、図９ｂに示すように、切離した該切離頭部４１が、前記ねじカバー１０の切離頭部収容室１６内に残留し、これで一連の基板ケース封止作業が完了する。
【００４０】
図９ｂに示す状態にあって、仮に、ねじカバー１０の工具用ねじ操作孔１３を介して、破断ねじ４０のねじ軸部４３に特殊工具でアクセスしようとしても、該工具用ねじ操作孔１３と該ねじ軸部４３との間に、該切離頭部４１が介在するから、かかる切離頭部４１が邪魔をしてねじ軸部４３に直接到達することができない。したがって、従来のように、特殊工具により破断ねじ４０のねじ軸部４３がケース本体２のねじ穴２３から抜き出されることがないため、基板ケース１Ａの封止が確実となる。
なお、再度述べると、ねじカバー１０における工具用ねじ操作孔１３の孔径は、前記切離頭部４１の外径より径小に設定されているため、切離された切離頭部４１が工具用ねじ操作孔１３から抜け落ちて紛失してしまうことはない。
【００４１】
ところで、封止された基板ケース１Ａは、制御基板の交換等のために、作業員により適正に開封され、再度封止しなければならない場合がある。このような場合は、ユニット装着孔３３Ａ周辺を破壊して破断ねじ４０をケース本体２に残しつつケース蓋３を開放した後、予めストックされていた破断ねじユニットＵを用いて、再度基板ケース１Ａを封止する。これまでに述べた図８等に示す実施例の場合、全部で四個の破断ねじユニットＵを使用することができ、総計四回の開封・封止作業を行うことができる。
【００４２】
次に、第一の変形例を説明する。
図１０に示すように、前記ケース本体２Ａにおいて、該ケース本体２Ａの側壁面（側面）には、切断可能な杆状の被切断連結部２３Ｂが外向きに差し出され、かつ該被切断連結部２３Ｂが左右方向に複数並設されている。さらに、各被切断連結部２３Ｂの先端には、前記ねじ穴２３が設けられた円柱状のケース本体側切離体２３Ａが配設されている。また、隣り合う該ケース本体側切離体２３Ａ同士も、切断可能な被切断連結部２３Ｃを介して、相互連結している。
【００４３】
また、図１１に示すように、前記ケース蓋３Ａにおいて、該ケース蓋３Ａの側壁面（側面）には、切断可能な被切断連結部３２Ｂが外向きに差し出され、かつ該被切断連結部３２Ｂが左右方向に複数並設されている。さらに、各被切断連結部３２Ｂの先端には、前記破断ねじユニットＵが装着されるユニット装着孔３３Ａが設けられたケース蓋側切離体３２Ａが配設されている。また、隣り合う該ケース蓋側切離体３２Ａ同士も、切断可能な被切断連結部３２Ｃを介して、相互連結している。
【００４４】
そして、図１１に示すように、該ケース蓋３Ａが該ケース本体２Ａを遮蔽した状態で、前記ケース本体側切離体２３Ａと前記ケース蓋側切離体３２Ａとが上下に重なり合い、該ケース蓋側切離体３２Ａの前記ユニット装着孔３３Ａに装着された破断ねじユニットＵの破断ねじ４０が、該ケース本体側切離体２３Ａの前記ねじ穴２３に螺入可能となる。この状態で、上述した操作によって破断ねじ４０がねじ穴２３に螺入されると、ケース蓋３Ａとケース本体２Ａとが結合し封止される。
【００４５】
ところで、作業員が、封止された基板ケース１Ａ（図１１参照）を適正に開放したい場合がある。この場合は、図１２に示すように、所要の被切断連結部３２Ｂ，２３Ｂ，２３Ｃ，３２Ｃを切断することにより、封止に寄与している破断ねじ４０が含まれる部位を、該基板ケース１Ａから除去してやればよい。
そうすると、基板ケース１Ａの封止が解除されるから、適正にケース蓋３Ａを開放することができる。なお、本実施例は、上述のように破断ねじユニットＵ自体をそっくりそのまま取り外して開封するのであり、開封時に破断ねじ４０が取り残されてケース蓋３Ａの開放を邪魔するということがない。このため、封止の際に、いずれのケース本体側切離体２３Ａおよび前記ケース蓋側切離体３２Ａを選択して利用したとしても、その開閉に支障が出ることがない。また、被切断連結部３２Ｂ，２３Ｂ，２３Ｃ，３２Ｃを切断した痕跡が明確に残るため、ケース蓋３Ａを開放した事実を容易に確認することができる。
【００４６】
さらに、第二の変形例が提案される。
図１３に示すように、ケース蓋３Bにおいて、その側壁面（側面）には、切断可能な被切断連結部７２Ｂが外向きに差し出されている。さらに、該被切断連結部７２Ｂの先端には、ユニット装着孔７３Ａが貫設された円筒形のケース蓋側切離体７２Ａが配設されている。
また、該ユニット装着孔７３Ａの内周には、摺動溝７６と、逃げ溝７７とが筒方向に沿って形成されている。さらに、該摺動溝７６の中間部には、ユニット装着孔側係合部７５が内向きに突設されている。そして、これまでに述べた実施例と同様に、該ケース蓋側切離体７２Ａのユニット装着孔７３Ａ内には、破断ねじユニットＵ１（後述）が挿入される。
【００４７】
なお、図示は省略するが、前記被切断連結部７２Ｂは、左右方向に複数並設されており、各被切断連結部７２Ｂの先端にケース蓋側切離体７２Ａが配設され、隣り合うケース蓋側切離体７２Ａ同士も、被切断連結部７２Ｃを介して、相互連結している。さらに、本変形例に使用されるケース本体２Ａは、第一の変形例に係るケース本体２Ａが採用される。
【００４８】
そして、図１４に示すように、ケース本体２Ａがケース蓋３Bに覆われると、前記ケース本体側切離体２３Ａと前記ケース蓋側切離体７２Ａとが上下で重なり合い、該ケース蓋側切離体７２Ａの前記ユニット装着孔７３Ａと、該ケース本体側切離体２３Ａの前記ねじ穴２３とが連通する。
【００４９】
次に、破断ねじユニットＵ１について説明する。
図１７，１８に示すように、本変形例のねじカバー６０は、合成樹脂材料からなり、中央に設定された基準線６９を中心にして左右に配置された部分体６０Ａ，６０Ｂで構成されている。そして、ねじカバー６０は、該基準線６９を基準にして蝶動可能とされている。すなわち、基準線６９を中心に部分体６０Ａ，６０Ｂが開け閉めされることにより、図１７，１８に示すような開放状態、または図１６に示すような閉鎖状態となる。なお、該ねじカバー６０の両端には、互いに係合する係合部６８Ａ、６８Ｂがそれぞれ設けられており、閉鎖状態で両係合部６８Ａ、６８Ｂを係合させることが可能となっている。
【００５０】
また、該ねじカバー６０の側面には、弾性材からなるねじカバー側係合部７０が設けられている。また、該ねじカバー側係合部７０の中間部には、係合溝７１が設けられている。そして、該ねじカバー側係合部７０は、弾性変形することにより、前記側面に対して出没自在とされている。
【００５１】
また、該ねじカバー６０の内面であってほぼ中間位置には、中心向きに突き出された区画壁６５が設けられ、上側の切離頭部収容室６６と下側の固定頭部収容室６７とが形成されている。また、上端には工具用ねじ操作孔６３が開口し、下端には差出孔６４が形成されている。
【００５２】
そして、該ねじカバー６０にあって、破断ねじ４０を装着するには、まず該ねじカバー６０を左右に開いて開放状態とする。そして、切離頭部４１を切離頭部収容室６６に配置し、固定頭部４２を固定頭部収容室６７に配置して、該ねじカバー６０に破断ねじ４０を装填する。
次に、この装填状態でねじカバー６０を閉じて閉鎖状態とすると、該破断ねじ４０が該ねじカバー６０に挟まれるようにして確実に装着されることとなる。
【００５３】
上記破断ねじユニットＵ１は、前記ユニット装着孔７３Ａ内に開口側から挿入される。ここで、該ねじカバー６０のねじカバー側係合部７０が、ユニット装着孔７３Ａの摺動溝７６に嵌め込まれ、かつ、該ねじカバー６０の基準線６９の凸条が、ユニット装着孔７３Ａの逃げ溝７７に嵌め込まれる。そして、該破断ねじユニットＵ１が筒方向に沿って下方に押し込まれると、図１５ａに示すように、ねじカバー側係合部７０が弾性変形しながら、係合溝７１にユニット装着孔側係合部７５が嵌り込み、該破断ねじユニットＵ１がユニット装着孔７３Ａ内に仮止めされた待機状態となる。
すなわち、この待機状態が、未使用の破断ねじユニットＵ１をケース蓋側切離体７２Ａ内でストックしている状態となる。
【００５４】
そして、このようにストック状態にある破断ねじユニットＵ１を使用する場合は、まず、ケース蓋３Ａでケース本体２Ａを遮蔽し、ケース蓋側切離体７２とケース本体側切離体２３Ａとを上下で重合させる。そしてこの状態で、図１５ｂに示すように、ケース蓋側切離体７２Ａ内にある該破断ねじユニットＵ１をさらに下方へ、すなわちケース本体側切離体２３Ａ側へ押し込んでやる。このとき、ねじカバー６０のねじカバー側係合部７０は弾性変形し、係合溝７１とユニット装着孔側係合部７５との係合が解かれて、仮止め待機状態が解除される。そしてさらに、該破断ねじユニットＵ１をねじ穴２３へ向けて摺動させると、該破断ねじユニットＵ１の破断ねじ４０がねじ貫通孔７３Ｂを介して該ねじ穴２３に螺入可能となり、ケース本体２Ａとケース蓋３Ａとを緊締することが可能となる。
【００５５】
以上、本発明の実施の形態を説明したが、本発明の範囲はこれらに限定されるものではなく、請求項に記載された範囲内において目的に応じて変更・変形することが可能である。
【産業上の利用可能性】
【００５６】
本発明は、パチンコ、スロット等の遊技機に用いられる基板ケースに対する不正開放を防止するための不正開放防止機構であり、産業上利用可能である。
【図面の簡単な説明】
【００５７】
【図１】ケース本体の外観斜視図である。
【図２】ケース蓋の外観斜視図である。
【図３】破断ねじユニットの斜視図であり、（ａ）は、ねじカバーと破断ねじが分離した状態を示し、（ｂ）は、ねじカバーに破断ねじが装着された状態を示している。
【図４】破断ねじユニットがケース本体に収容された状態を示す斜視図である。
【図５】ケース本体とケース蓋とを開閉自在に接続する手順を示す斜視図である。
【図６】カシメ部の断面側面図であり、（ａ）は、嵌合前の状態、（ｂ）は、嵌合状態をそれぞれ示している。
【図７】ケース本体をケース蓋で遮蔽する手順を示す斜視図である。
【図８】封止された基板ケースの斜視図である。
【図９】螺着された破断ねじ周辺を示す縦断側面図であり、（ａ）は、破断ねじの破断前の状態を示し、（ｂ）は、破断後の状態を示している。
【図１０】第一の変形例に係るケース本体を示す部分斜視図である。
【図１１】第一の変形例に係るケース本体とケース蓋とを示す部分斜視図である。
【図１２】第一の変形例であって、被切断連結部を切断した状態を示す斜視図である。
【図１３】第二の変形例に係るケース蓋を示す部分斜視図である。
【図１４】第二の変形例に係るケース本体とケース蓋とを示す部分斜視図である。
【図１５】（ａ）は第二の変形例に係る破断ねじユニットの仮止め待機状態を示し、（ｂ）は使用状態を示す断面図である。
【図１６】第二の変形例に係る破断ねじユニットの外観斜視図である。
【図１７】第二の変形例に係るねじカバーの正面図である。
【図１８】第二の変形例に係るねじカバーの背面図である。
【符号の説明】
【００５８】
１                    基板ケース用不正開放防止機構
１Ａ                  基板ケース
２，２Ａ              ケース本体
３，３Ａ，３Ｂ        ケース蓋
４                    カシメ部材
１０，６０            ねじカバー
１１                  カバー筐体
１３，６３            工具用ねじ操作孔
１５，６５            区画壁
１６，６６            切離頭部収容室
１７，６７            固定頭部収容室
２３                  ねじ穴
２３Ａ                ケース本体側切離体
２３Ｂ，２３Ｃ        被切断連結部
２４                  嵌合雌部材
３２Ａ，７２，７２Ａ  ケース蓋側切離体
３２Ｂ，３２Ｃ        被切断連結部
３３Ａ，７３Ａ        ユニット装着孔
３３Ｂ                ねじ貫通孔
３５                  囲繞部材
４０                  破断ねじ
４１                  切離頭部
４２                  固定頭部（ねじ本体）
４３                  ねじ軸部（ねじ本体）
４４                  工具用係合部
４４Ａ                滑面（逆回し防止構造）
４４Ｂ                起立面（逆回し防止構造）
５０                  カシメ部
６９                  基準線
７０                  ねじカバー側係合部
７２Ｂ，７２Ｃ        被切断連結部
７５                  ユニット装着孔側係合部
Ｒ                    ねじカバー回動防止機構
Ｕ，Ｕ１              破断ねじユニット
α                    工具
【図１】
2010136814.tif 000003
【図２】
2010136814.tif 000004
【図３】
2010136814.tif 000005
【図４】
2010136814.tif 000006
【図５】
2010136814.tif 000007
【図６】
2010136814.tif 000008
【図７】
2010136814.tif 000009
【図８】
2010136814.tif 000010
【図９】
2010136814.tif 000011
【図１０】
2010136814.tif 000012
【図１１】
2010136814.tif 000013
【図１２】
2010136814.tif 000014
【図１３】
2010136814.tif 000015
【図１４】
2010136814.tif 000016
【図１５】
2010136814.tif 000017
【図１６】
2010136814.tif 000018
【図１７】
2010136814.tif 000019
【図１８】
2010136814.tif 000020